【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
仙骨固定システムであって、
第１の骨位置を通して挿入されるようなサイズにされた第１のシャフトを有する第１のインプラント区分であって、前記第１のインプラント区分が、第１の近位端と、前記第１の近位端と反対の第１の遠位端と、第１の当接面とを画定し、前記第１の当接面が、前記第１のシャフトから出て延び、前記第１の骨位置を通しての前記第１のシャフトの更なる挿入を防止するように、前記第１の骨位置に当接するように構成され、前記第１のインプラント区分が、前記第１の近位端から前記第１の遠位端まで前記第１のシャフトを通って延びる第１のチャネルを画定する、第１のインプラント区分と、
第２の骨位置を通して挿入されるようなサイズにされた第２のシャフトを有する第２のインプラント区分であって、前記第２のインプラント区分が、第２の近位端と、前記第２の近位端と反対の第２の遠位端と、前記第２の近位端から前記第２の遠位端まで延びる第２のチャネルと、第２の当接面とを画定し、前記第２の当接面が、前記第２のシャフトから出て延び、前記第２の骨位置を通しての前記第２のシャフトの更なる挿入を防止するように、前記第２の骨位置に当接するように構成され、少なくとも前記第２の遠位端が、前記第１の骨位置と第２の骨位置との間の位置で、前記第１のチャネル内に受容されるようなサイズにされている、第２のインプラント区分と、
前記第１及び第２の骨位置のそれぞれを通って延びるようなサイズにされたキルシナー鋼線であって、前記第１及び第２のチャネルは、前記第１及び第２のシャフトがそれぞれ前記第１及び第２の骨位置を通して挿入されると、前記キルシナー鋼線を受容するように構成されている、キルシナー鋼線と、
前記第１のインプラント区分を、前記第２のインプラント区分から離れる方向に移動することに対して固定するよう、前記第１のシャフトを前記キルシナー鋼線に装着するように構成された第１の係止部材であって、前記第１及び第２のインプラント区分のそれぞれから切り離され、前記第１の近位端から前記第２の近位端まで前記第１及び第２のシャフトを通って延びていない、第１の係止部材と、
少なくとも前記第２のシャフトが前記第１のシャフトから離れる方向に移動することに対して、前記第２のシャフトを前記キルシナー鋼線に固定するように構成されている、第２の係止部材と、を備え、
前記キルシナー鋼線が、ねじ付きであり、前記第１及び第２の係止部材のうちの少なくとも１つが、係止ナットを含み、前記係止ナットが、雌ねじ付きであり、前記第１及び第２のシャフトのうちの対応する１つに当接し、前記第１及び第２のシャフトのうちの前記対応する１つに対して、前記第１及び第２のシャフトのうちの前記対応する１つを前記第１及び第２のシャフトのうちの他方に向かって付勢する力を加えるように、前記キルシナー鋼線に螺合可能であり、前記第１及び第２の係止部材のうちの他方が、可撓性壁を有する係止キャップを含み、前記可撓性壁が、前記可撓性壁に加えられた圧迫力に応じて、前記キルシナー鋼線を圧迫するように構成されている、仙骨固定システム。
【請求項２】
前記係止キャップが、前記第１及び第２の近位端のうちの前記対応する少なくとも１つを通って延びる開口内に少なくとも部分的に受容されるようなサイズにされ、これにより、前記係止キャップが前記開口に挿入されると、前記開口を画定する内側表面が、前記可撓性壁に前記圧迫力を加えるように構成され、前記可撓性壁の外側表面及び前記内側表面は、ねじ付きであり、前記係止キャップが前記開口に挿入されるとき、互いに螺合するように構成されている、請求項１に記載の仙骨固定システム。
【請求項３】
仙骨固定システムであって、
第１の骨位置を通して挿入されるようなサイズにされた第１のシャフトを有する第１のインプラント区分であって、前記第１のインプラント区分が、第１の近位端と、前記第１の近位端と反対の第１の遠位端と、第１の当接面とを画定し、前記第１の当接面が、前記第１のシャフトから出て延び、前記第１の骨位置を通しての前記第１のシャフトの更なる挿入を防止するように、前記第１の骨位置に当接するように構成され、前記第１のインプラント区分が、前記第１の近位端から前記第１の遠位端まで前記第１のシャフトを通って延びる第１のチャネルを画定する、第１のインプラント区分と、
第２の骨位置を通して挿入されるようなサイズにされた第２のシャフトを有する第２のインプラント区分であって、前記第２のインプラント区分が、第２の近位端と、前記第２の近位端と反対の第２の遠位端と、第２の当接面とを画定し、前記第２の当接面が、前記第２のシャフトから出て延び、前記第２の骨位置を通しての前記第２のシャフトの更なる挿入を防止するように、前記第２の骨位置に当接するように構成され、前記第２のインプラント区分が、前記第２の近位端に向かう方向に沿って少なくとも前記第２の遠位端の中に延びる第２のチャネルを画定し、少なくとも前記第２の遠位端が、前記第１の骨位置と第２の骨位置との間の位置で、前記第１のチャネル内に受容されるようなサイズにされている、第２のインプラント区分と、
固定ヘッドと、前記固定ヘッドから延びる固定シャフトとを有する固定部材であって、前記固定シャフトが、前記第２のチャネル内で前記第２のシャフトに装着するように、前記第１の近位端を通して挿入されるように構成され、前記固定部材は、前記第１及び第２のインプラント区分を、前記第１及び第２のインプラント区分が互いから離れる方向に移動することに対して固定し、前記第１及び第２のインプラント区分のそれぞれから切り離され、前記第１の近位端から前記第２の近位端まで前記第１及び第２のシャフトを通って延びていない、固定部材と、を備える、仙骨固定システム。
【請求項４】
前記第１及び第２の遠位端のそれぞれが、前記第１及び第２の骨位置をそれぞれ通るボーリング孔を穿設するように構成された対応する切断面を画定するように鋸歯状である、請求項１又は３に記載の仙骨固定システム。
【請求項５】
前記第２のシャフトが、前記内側表面と反対の外側表面を画定し、前記外側表面は、前記第１及び第２のチャネルが互いに対して回転することを防止するように、前記第１のチャネル内で前記第１のシャフトの適合面に当接するように構成された適合面を画定する、請求項３に記載の仙骨固定システム。
【請求項６】
前記第１のインプラント区分が、前記第１のシャフトの壁を通って前記第１のチャネルの中に延びる開口を画定し、前記開口が、前記第１及び第２のシャフトを相対的回転に対して互いに固定するように構成された係止ピンを受容するように構成されている、請求項５に記載の仙骨固定システム。
【請求項７】
前記第２のチャネルが、前記第２の近位端から前記第２の遠位端まで延び、前記仙骨固定システムが、前記第１及び第２の骨位置のそれぞれを通って延びるようなサイズにされたガイドワイヤを更に備え、これにより、前記第１及び第２のチャネルは、前記第１及び第２のシャフトがそれぞれ前記第１及び第２の骨位置を通して挿入されると、前記ガイドワイヤを受容するように構成されている、請求項３に記載の仙骨固定システム。
【請求項８】
前記第２のシャフトが、前記第２のチャネルを画定する内側表面を画定し、前記内側表面の少なくとも一部が、ねじ付きであり、前記固定シャフトの少なくとも一部が、ねじ付きであり、これにより、前記固定シャフトが、前記第２のチャネル内で前記内側表面と螺合するように構成され、
前記第１の近位端が、ねじ付きであり、前記固定ヘッドが、ねじ付きであり、これにより、前記固定シャフトが前記第２のチャネル内で前記内側表面と螺合すると、前記固定ヘッドが、前記第１の近位端と螺合するように構成されている、請求項３に記載の仙骨固定システム。
【請求項９】
前記固定シャフトが前記第２のチャネル内で前記第２のシャフトに装着するように前記第１の近位端を通して挿入されると、前記固定部材が前記ガイドワイヤを受容するように構成されるように、前記固定部材が、カニューレ状である、請求項７に記載の仙骨固定システム。
【請求項１０】
前記キルシナー鋼線は、前記固定部材が前記第１のシャフトを前記第２のシャフトに固定した後に、前記第１のチャネル、第２のチャネル、及び前記第１の係止部材を通して取り外し可能である、請求項４に記載の仙骨固定システム。
【請求項１１】
前記第１及び第２の当接面のうちの少なくとも１つが、第１の方向に中を貫通して延びる開口部を画定するワッシャにより画定され、前記開口部が、前記第１及び第２のシャフトのうちの対応する１つを受容するようなサイズにされ、前記ワッシャが、第１の厚さを有する第１の端部と、前記第１の厚さを上回る第２の厚さを有する第２の端部とを有し、前記第１及び第２の端部が、前記開口部の両側にある、請求項１又は３に記載の仙骨固定システム。
【請求項１２】
前記固定ヘッドは、前記固定シャフトが前記第２のチャネル内で前記第２のシャフトに装着されている間、前記第１の近位端に係合するように構成されている、請求項３に記載の仙骨固定システム。
【請求項１３】
前記第１の当接面が、前記第１のシャフトと一体式であり、前記第２の当接面が、前記第２のシャフトと一体式である、請求項１又は３に記載の仙骨固定システム。